(57)【要約】  【課題】  従来の電灯線通信装置は、施工者および使用者にその接続点での伝送路条件の良否の情報を与えず、施工者および使用者が設置場所を選定するのが困難であり、施工の工数が大きくなるという課題を有していた。  【解決手段】  本発明の電灯線通信装置は、上記課題を解決するために、誤り頻度を検出する誤り検出部、または／および再送回数をカウントする再送カウンタと、誤り頻度や再送回数を記憶し、演算する伝送路条件判定部と、伝送路条件判定値を表示する伝送路条件表示部とを備えている。そして、この構成により現在接続している設置点での伝送路条件の良否が表示される。【選択図】  図１
2005260532.tif 000002
【特許請求の範囲】
【請求項１】
電灯線を介して電灯線通信により外部と信号の送受信を行ない、電気機器または前記電気機器と接続するコントローラと通信して前記電気機器の制御を行なう電灯線通信装置であって、外部から受信した信号のデータの誤りを検出し訂正を行う誤り訂正・検出部と、前記誤り訂正・検出部で検出した誤り訂正の頻度データを数値化する伝送路条件判定部と、前記伝送路条件判定部で数値化した値または前記数値化した値に基づいた表示を行う表示部とを備える電灯線通信装置。
【請求項２】
電灯線を介して電灯線通信により外部と信号の送受信を行ない、電気機器または前記電気機器と接続するコントローラと通信して前記電気機器の制御を行なう電灯線通信装置であって、外部へ送信した信号が通信先で正しく受信されず再送した場合、再送した回数をカウントして記憶する再送カウンタと、前記再送カウンタで記憶した再送回数データを数値化する伝送路条件判定部と、前記伝送路条件判定部で数値化した値をまたは前記数値化した値に基づいた表示を行う表示部とを備える電灯線通信装置。
【請求項３】
電灯線を介して電灯線通信により外部と信号の送受信を行ない、電気機器または前記電気機器と接続するコントローラと通信して前記電気機器の制御を行なう電灯線通信装置であって、外部の通信先から送信される誤り訂正の頻度データを抽出する誤り頻度データ抽出部と、前記誤り頻度データ抽出部で抽出した頻度データを数値化する伝送路条件判定部と、前記伝送路条件判定部で数値化した値または前記数値化した値に基づいたを表示を行う伝送路条件表示部とを備える電灯線通信装置。
【請求項４】
電灯線を介して電灯線通信により外部と信号の送受信を行ない、電気機器または前記電気機器と接続するコントローラと通信して前記電気機器の制御を行なう電灯線通信装置であって、外部の送信元から送信される再送回数データを抽出する再送回数データ抽出部と、前記再送回数データ抽出部で抽出した再送回数データを数値化する伝送路条件判定部と、前記伝送路条件判定部で数値化した値または前記数値化した値に基づいたを表示を行う伝送路条件表示部とを備える電灯線通信装置。
【請求項５】
電灯線を介して電灯線通信により外部と信号の送受信を行ない、電気機器または前記電気機器と接続するコントローラと通信して前記電気機器の制御を行なう電灯線通信装置であって、外部から受信した信号のデータの誤りを検出し訂正を行なう誤り訂正・検出部と、外部へ送信した信号が通信先で正しく受信されず再送した場合、再送した回数をカウントして記憶する再送カウンタと、外部の通信先から送信される誤り訂正の頻度データを抽出する誤り頻度データ抽出部と、外部の送信元から送信される再送回数データを抽出する再送回数データ抽出部のうち少なくとも２つ以上備え、それに対応して前記誤り訂正・検出部で検出した誤り訂正の頻度データと、前記再送カウンタで記憶した再送回数データと、前記誤り頻度データ抽出部で抽出した頻度データと、前記再送回数データ抽出部で抽出した再送回数データのうち少なくとも２つ以上のデータを組み合わせて数値化する伝送路条件判定部と、前記伝送路条件判定部で数値化した値または前記数値化した値に基づいた表示を行う表示部とを備える電灯線通信装置。
【請求項６】
伝送路条件判定部は、頻度データおよび／または再送回数データの平均値を算出する請求項１から５のいずれかに記載の電灯線通信装置。
【請求項７】
伝送路条件判定部は、頻度データおよび／または再送回数データに重み付けをなう請求項５記載の電灯線通信装置。
【請求項８】
伝送路条件判定部は、頻度データおよび／または再送回数データに最近の通信による値ほど大きな重み付けを行なう請求項７記載の電灯線通信装置。
【請求項９】
伝送路条件判定部は、頻度データおよび／または再送回数データを比較し、通信状態の最も悪い値を採用する請求項５から８記載のいずれかに電灯線通信装置。
【発明の詳細な説明】
【技術分野】
【０００１】
本発明は、電力供給用として用いられる電灯線を通信線として用いた電灯線通信装置に関するものである。
【背景技術】
【０００２】
近年、電話回線に代えて、住居内に配線される電灯線を用いて各家電機器を情報通信により制御しようとすることが検討されている。すなわち電灯線に流れる交流電圧（我が国では周波数５０Ｈｚ又は６０Ｈｚ）に１５０ｋＨｚ〜４００ｋＨｚ程度の高周波を通信用の信号として重畳させ、この高周波信号を通信用として用いる。これにより、住居内に配線される電灯線で、各家電機器に電力を供給しつつ情報通信をすることができる。
【０００３】
しかし、現在家庭内に配線される電灯線は各家電機器に電力を供給することができれば十分であったため家庭内に配線される電灯線は通信用の伝送路としては適さない場合が存在する。すなわち、低インピーダンス家電機器や長い伝送路長による信号の減衰、インバータ家電機器によるノイズ等の悪条件が重なった場合、通信に障害を及ぼす。しかし一般に、接続される家電機器のインピーダンス、ノイズ発生量などは不明で、電灯線の配線も通常壁の中に配線され、その接続状態も不明のため、電灯線通信装置の接続場所が通信に適切か不適切かの判断が非常に困難である。
【０００４】
そこで従来の電灯線通信装置では、通信に使用する電灯線の通信状態を判定し、伝送路としての品質に応じた通信パラメータを使用して通信を実施している（例えば特許文献１参照）。
【０００５】
図１０は上記従来の電灯線通信装置のブロック図を示しており、電灯線に接続し、電灯線を介して外部の他の装置等とデータを送受信する装置である。そして図１０において、１１３はフレーム構成部、１１６は無応答判定部、１０３は誤り検出部、１１５は伝送制御部、１１７は伝送結果記憶部、１１４は伝送状態判定部である。
【０００６】
この従来の電灯線通信装置は、送信装置及び受信装置兼用であり、送信装置として動作する場合は情報フレームを送信した後、通信先から応答フレームを受信し、受信装置として動作する場合は通信先から情報フレームを受信して応答フレームを送信する。
【０００７】
以上のように構成された従来の電灯線通信装置について、その動作を説明する。伝送結果記憶部１１７は、誤り検出部１０３からのデータ（応答フレームに含まれるデータの誤りの有無を示す）、受信内容解析部１０８からのデータ（一定期間あるいは一定回数の送信に対する応答フレームの内容を示す）、及び無応答判定部１１６からのデータ（無応答を示す）を記憶する。また伝送路状態判定部１１４は、伝送結果記憶部１１７内のデータ（応答フレームに含まれるデータの誤りの有無、一定期間あるいは一定回数の送信に対する応答フレームの内容、及び無応答を示す）を利用して電灯線のデータ伝送路としての品質を判定し、伝送制御部１１５に出力する。そして伝送制御部１１５は、電灯線のデータ伝送路としての品質に基づいて、情報フレーム長や受信側からの応答を待たずに一度に連続して送信し得る最大連続情報フレーム数等を示す伝送パラメータを決定し、この伝送パラメータをフレーム構成部１１３に出力する。
【０００８】
すなわちこの従来例では、電灯線のデータ伝送路の通信状態を把握し、その状態に応じて連続して送信するデータのフレーム数を最大にし、効率よくデータ送信できるようにしたものである。
【特許文献１】特開２０００−１７４７３１号公報（第３―４頁、第１図）
【発明の開示】
【発明が解決しようとする課題】
【０００９】
しかし、従来の電灯線通信装置は、実際には伝送路中に装置を設置する場所において良否の条件があるにもかかわらず、施工者および使用者にその接続点での伝送路条件の良否の情報を与えず、施工者および使用者が設置場所を選定するのが困難であり、施工の工数が大きくなるという課題を有していた。
【００１０】
すなわち、従来の電灯線通信装置では、設置場所を選択するための情報を提供することはなく、したがって、他に適切な場所があるにもかかわらず、不適切な場所で通信を行うことを強いられるという無駄が生じる可能性があった。
【００１１】
本発明は、伝送路条件の良否を数値化し、表示することにより、施工時に最適な設置場所の選定を容易にし、施工工数を低減することができる電灯線通信装置を提供することを目的とする。
【課題を解決するための手段】
【００１２】
本発明の電灯線通信装置は、上記課題を解決するために、誤り頻度を検出する誤り検出部、または／および再送回数をカウントする再送カウンタと、誤り頻度や再送回数を記憶し、演算する伝送路条件判定部と、伝送路条件判定値を表示する伝送路条件表示部とを備えている。そして、この構成により現在接続している設置点での伝送路条件の良否が表示される。
【発明の効果】
【００１３】
以上のように、本発明は誤り頻度を検出する誤り検出部、または／および再送回数をカウントする再送カウンタと、誤り頻度や再送回数を記憶し、演算する伝送路条件判定部と、伝送路条件判定値を表示する伝送路条件表示部とを備えており、現在接続している設置点での伝送路条件の良否を表示することにより、施工時、設置場所の選定を円滑に実施することができる。
【発明を実施するための最良の形態】
【００１４】
以下、本発明を実施するための最良の形態について、図１から図９を用いて説明する。
【００１５】
（実施の形態１）
図１は本発明の実施の形態１における電灯線通信装置のブロック図を示すものであり、１は電灯線と結合し、商用周波数成分をカットしながら高周波の信号成分を入出力する電灯線結合部、２は入力した信号を復調する復調部、３は復調した電文の誤り訂正処理を兼ねた誤り検出部、４は伝送路条件を数値化する伝送路条件判定部、５は伝送路条件判定部４により数値化された値を表示する伝送路条件表示部、６は電文を変調し、電灯線に重畳する信号を作成する変調部、７は家電機器、または家電機器と接続しコントロールするコントローラとの電文入出力するためのアダプタ通信インターフェースを示す。
また図２は、図１で示される電灯線通信装置を用いた電灯線通信を用いたシステム全体構成の一例を示す図であり、分電盤２０から電灯線２４に分岐して電力供給されている。そして、分電盤２０には、家電機器を制御するために無線または有線によりインターネット網、電話回線網、光ケーブル網を用いて外部と制御信号を通信するゲートウェイ２１が備えられている。そして、このゲートウェイ２１は、外部から受信した信号を、商用周波数で電力供給される電灯線２４の電力波形に高周波の制御信号を重畳させて電灯線通信を行う。また電灯線通信装置２２ａ〜２２ｄは、たとえばこの電灯線２４上に設置されている
プラグ差し込み口２４ａ〜２４ｄに、図１で示すような電源プラグを差し込み、電灯線通信装置相互に通信を行なう。さらに電灯線通信装置２２ａ〜２２ｄは、受信した信号を元に接続するテレビ、エアコン、洗濯機等の家電機器２３ｂ〜２３ｄ、またはそれらと接続しコントロールするコントローラ（図示せず）と通信して制御を行なう。あるいは、家電機器２３ｂ〜２３ｄから他の通信装置やゲートウェイに電灯線通信により信号を送信する。なお図２で示されたシステム全体は、後述する実施の形態２以降でも共通のものである。
【００１６】
以上のように構成された電灯線通信装置について、その動作を説明する。
図１においてまず電灯線結合部１は、図２の電灯線２４上に設けたプラグ差し込み口を介して入出力する電灯線から、商用周波数成分をカットしながら高周波の信号成分を入出力する。このうち入力した高周波の信号は、復調部２により復調される。復調する信号の一例として、図３（ａ）に示すように、データ部とそれに付随する符号部とを１ブロックにした符号付データのデータフォーマットに復調する。さらに、誤り検出・訂正部３において、この復調した信号を元に、図３（ｂ）に示すように、家電機器への制御命令など具体的な内容を示す電文の信号に変換する。この時、誤り検出・訂正部３では、信号の伝送路上で発生した障害により発生したデータ化けなどの誤りを、符号付きデータのブロックごとに符号部が有する情報から検出し、さらにその訂正を行って電文を作成する。すなわち、誤りがないと判断した時は信号の訂正はせずそのまま電文に変換し、必要と判断した場合のみ元のデータを訂正して正しい電文に変換する。
なお、この誤り訂正の方法については本実施の形態において特に限定するものではないのでここでは詳細には触れないが、一般的にはコンボリューショナル方式とリードソロモン方式が代表的であり、コンボリューショナル方式は少ないデータに有効で、リードソロモン方式は、大きなデータに有効であると言われている。そして、図３（ａ）に示したデータに付加された符号部を誤り訂正符号（方式によりリードソロモン符号、ＢＣＨ符号等と呼ばれる符合となる）とし、上記した公知の方法により誤り訂正を行う。
そして、アダプタ通信インターフェース７においては、誤り検出・訂正部３で誤り訂正して変換した電文が最終的に正しいかどうかを送信信号に含まれるＣＲＣチェック信号のデータと照合することにより確認する。そして、そのチェックが合格となった場合のみ正しい電文として、家電機器またはコントローラへ電文を渡すようにしている。
このようにして、アダプタ通信インターフェース７を通して、正しい電文が家電機器またはコントローラへ渡され、対象の家電機器の動作の制御を行う。なお、各電灯線通信装置には個別のアドレスが予め設定されており、アダプタ通信インターフェース７では正しく訂正された電文を解読し、自身の通信装置用のアドレスが含まれた場合のみ、自アドレス宛に信号が送信されたとして制御や通信を行い、その他のアドレス宛の場合は、動作は何もしない。
さらに、電灯線通信装置は、自身宛に送信された信号に対しては、正しく受信した場合には、誤り訂正によった場合も含めて、送信元へ受信完了を示すアンサー信号を送信する必要がある。そして、その際も、送信する信号は送信先で誤り訂正できるように、図３（ａ）で示すような符号つきデータフォーマットにして送信する必要がある。そこで、符号化部６１で符号付のデータを作成し、さらに変調部６で電灯線通信の通信仕様となる信号に変換し、電灯線結合部１にて送信元へ送信する。
そして本実施の形態においては、誤り検出・訂正部３に入力される信号は、図３（ａ）で示された符号付データを１つの小さなブロックとし、前述したように、このブロックごとに備えた誤り訂正符号を誤り検出手段とすることで、誤りを検出し、訂正している。そして本実施の形態においては、誤り検出・訂正部３において信号の誤り頻度を算出し、伝送路条件判定部４においてこの誤り頻度の値を元にで伝送路条件を数値化し、さらに伝送路条件表示部５において、良否の２値ではなく状態の程度を複数ステップで表示を行う。
すなわち、誤り検出・訂正部３は、前述のブロックごとについて誤りが検出されれば１つカウントアップし、伝送路条件判定部４においてそれを累積し、記憶する。そしてその数
値をそのまま、またはその数値を加工したデータを、伝送路条件表示部５で数値表示、もしくは棒グラフなどのグラフィック表示するようにしている。
なお、伝送路条件表示部５で表示するデータは、設置当初からの累積値でもよいし、予め設定した所定期間ごとに数値をリセットしその所定期間での累積値のみを表示してもよいし、あるいはその両方でもよい。また、それら数値表示または棒グラフ等の表示としてもよいし、あるいは両方併記して表示させてもよい。また、伝送路条件表示部５の表示部は液晶、ＬＥＤなど表示方法は特に限定するものではなく何であってもよい。
【００１７】
以上のように、本実施の形態によれば伝送路条件を通信可能、可能か不可能もしくは良好か不良の２値ではなく、通信状態を数値的に少なくとも３ステップ以上にわたってきめ細かく表わすことができ、現在の通信状態の良好さがどの程度なのかを知ることができる、伝送路状態の把握が容易になる。そしてこのことにより、通信装置を設置する施工時に、設置に適したよりよい場所を探し求めるのに有効であり、円滑な施工が可能となる。
【００１８】
（実施の形態２）
図４は、本発明の実施の形態２における電灯線通信装置を示す。図４において、９は通信障害が発生し再送を実施する場合、再送回数をカウントする再送カウンタを示し、その他の、図１で示す実施の形態１と同様の箇所については同一の符号を付して重複する詳細な説明を省略する。
【００１９】
本実施の形態において、実施の形態１と異なるのは、伝送路状態の数値化を再送カウンタ９の値を元に算出した点であり、再送カウンタ９でカウントした再送回数を表示させることで、通信状態の良否を示すようにしている。
【００２０】
すなわち、本実施の形態においては、アダプタ通信インターフェース７により家電機器またはコントローラからの信号を電灯線を介して送信する際に、実施の形態１のアンサー信号を送信する時と同様、符号化部６１でデータに符号を付加し、変調部６により電灯線通信仕様の信号に変調させ、電灯線結合部１から電灯線を介して所定の送信先へ送信する。この時、通信先から正常の受信が完了したことを通知するアンサー信号が自身のアドレス宛に返信されれば正常終了となるが、所定時間待っても返信がない場合、変調部６は伝送路途中で通信異常が発生して信号が受信されなかったものと判断し、同一の信号を再度送信する。そしてこの際、再送することを毎回必ず再送カウンタ９に通知し、再送カウンタ９はその回数をカウントアップして記憶する。さらに再送カウンタ９はそのカウント数を伝送路条件判定部４に入力し、伝送路の状態を数値化する。さらに伝送路条件表示部５は、実施の形態１と同様数値化したデータを数値表示あるいはグラフィックにより表示する。
【００２１】
このようにすることで、伝送路での通信状態を把握でき、再送の回数が多ければ伝送路条件が悪いと判断できる。
【００２２】
以上のように、本実施の形態においても実施の形態１と同様の効果を得ることができる。
【００２３】
（実施の形態３）
図５は本発明の実施の形態３における電灯線通信装置を示す図であり、実施の形態１と同様の箇所については同一の符号を付して詳細な説明を省略する。図５において、１０は通信先から送信される誤り頻度データを抽出する誤り頻度データ抽出部を示す。
【００２４】
そして本実施の形態の電灯線通信装置においては、まず、自身の電灯線通信装置から送信した信号を受信した特定の通信先において、その信号について誤り訂正を行い、その頻
度データを自身の電灯線通信装置へ送信する。次に、自身の電灯線通信装置においては、復調部２でその頻度データを含む信号を復調し、誤り頻度データ抽出部１０により電文化した頻度データを抽出する。さらに伝送路条件判定部４は、抽出した頻度データを基に通信先の通信装置を受信側（自身の装置からは送信側）とした時の伝送路の通信状態として数値化する。
【００２５】
また伝送路条件判定部４においては、実施の形態１と同様、通常の信号を受信した場合も、その信号に対して誤り検出し、その頻度データを基に受信側伝送路の通信状態として数値化する。これにより本実施の形態においては、送受信双方向の伝送路条件を伝送路条件表示部５に表示することができる。
【００２６】
なお、本実施の形態においては、伝送路条件判定部４において、送信側伝送路と合わせて、誤り検出・訂正部３での誤り訂正頻度による受信側伝送路での通信状態も数値化するようにしたが、構成上の都合等により、誤り頻度データ抽出部１０による送信側伝送路の通信状態の数値化のみであっても充分効果は得られる。
【００２７】
このように、本実施の形態においては、実施の形態１においては、自身の装置を受信側として伝送路状態を数値化して表示させたのに対し、送信先の受信伝送路状態を含めた数値化による表示を可能とした。
【００２８】
以上のことから、本実施の形態によれば実施の形態１と同等以上の効果を得ることができる。
【００２９】
（実施の形態４）
図６は本発明の実施の形態４における電灯線通信装置を示す図であり、本実施の形態において実施の形態１と同様の箇所については同一の符号を付して詳細な説明を省略する。図６において、１１は通信先から送信される再送回数を抽出する再送回数データ抽出部を示す。
【００３０】
すなわち本実施の形態の電灯線通信装置においては、通信先から自身の電灯線通信装置へ送信データ送信するにあたり、その送信時における再送回数を表すデータを、通常のデータとして受信するようにし、再送回数データ抽出部１１は、復調部２で復調したデータから送信側再送回数データを抽出する。さらに、伝送路条件判定部４は、再送回数データ抽出部１１により抽出されたデータを基に数値化することにより、自身の電灯線通信装置を受信側とした場合の伝送路の通信状態を把握できる。また伝送路条件判定部４は、実施の形態２で示したのと同様、再送カウンタ９による再送回数データを基に数値化することにより、自身の電灯線通信装置を送信側とした場合の伝送路の通信状態をも同時に把握できる。このように、本実施の形態では双方向の伝送路条件を伝送路条件表示部５に表示することができる。
【００３１】
なお、この場合も、構成の都合により、再送回数データ抽出部１１により、自身の電灯線通信装置を受信側とした場合の伝送路の通信状態のみを把握できるようにしても充分効果は得られる。
【００３２】
以上のように、本実施の形態によれば実施の形態２と同等以上の効果を得ることができる。
【００３３】
なお、これまでに述べた実施の形態１から４の電灯線通信装置において、伝送路条件表示部５で表示する数値またはグラフは、伝送路条件判定部４で数値化する受信側および送信側の誤り頻度データ、受信側および送信側の再送回数は、それぞれ平均値により求める
ようにすれば、伝送路状態が急激に変動する場合であっても、安定して最適な設置場所の選定が可能となる。
【００３４】
（実施の形態５）
図７は本発明の実施の形態５における電灯線通信装置を示す図であり、実施の形態１と同様の箇所については同一の符号を付して詳細な説明を省略する。図７において、１２Ａおよび１２Ｂはそれぞれ再送カウンタ９および誤り検出・訂正部３より出力される値に重みを付ける重み付け演算処理部である。
【００３５】
そして本実施の形態の電灯線通信装置においては、伝送路条件判定部４は、重み付け演算処理部１２Ａおよび１２Ｂによりそれぞれ異なった重み付けをされた再送回数と誤り頻度により伝送路状態を数値化し、伝送路の通信状態を伝送路条件表示部５に表示する。
たとえば、重み付け演算処理部１２Ａにおいて再送カウンタ９による再送回数に掛かる係数を２とし、重み付け演算処理部１２Ｂにおいて誤り検出・訂正部３による誤り頻度データに掛かる係数を１とした場合、伝送路条件判定部４において数値化する伝送路の状態は、再送カウンタ９による再送回数の数値の重みが、誤り検出・訂正部３による誤り頻度データの数値の重みの２倍となる。すなわち、自身の電灯線通信装置を送信側とした伝送路の通信状態の重みが、受信側とした時の伝送路の通信状態の重みの２倍にして算出することになる。
【００３６】
ところで誤り頻度がある程度以下の場合、誤り訂正の結果正常電文として処理され、再送は発生しない。すなわち、再送が発生する場合は、伝送路の状態が極めて悪く、誤り訂正のみでは訂正しきれない重大な状態が発生していると考えられる。このため、重み付け演算処理部１２Ａにおいて再送回数に対して設定する重み付けを大きくするように設定する方がよい。
【００３７】
このように、重み付けを実施することにより、再送回数と誤り頻度データの数値を同レベルに扱うことが可能となり、送受信の伝送路条件を一本化した数値によって表示することが可能となる。また、伝送路条件判定部４は、それぞれの平均値を元に数値化することにより、伝送路状態に変動があっても最適な数値化が可能となる。さらに重み付け方法を最近の通信ほど大きな重みを付けることにより変化する伝送路状態にレスポンスの良い表示が可能となる。
【００３８】
（実施の形態６）
図８は本発明の実施の形態５における電灯線通信装置を示す図であり、図８において、本実施の形態において実施の形態１から５と同様の箇所については同一の符号を付して詳細な説明を省略する。図８において、伝送路条件判定部４は、誤り検出・訂正部３による誤り頻度、再送カウンタ９による再送回数、誤り頻度データ抽出部１２による送信側誤り頻度データ、再送回数データ抽出部１１による送信側再送回数のそれぞれの値を比較し、最も伝送路状態が悪いことを表す値を元に数値化し、伝送路条件表示部５に表示するものである。
【００３９】
この伝送路条件判定部４における具体的な手順について図９を用いて説明する。図９は、上記した伝送路条件判定部４において伝送路条件を決定する手順を説明するフローチャートであり、まずステップ１で誤り検出・訂正部３による誤り頻度を入力し、Ａとする。次にステップ２で、変調部６で通信先への送信が失敗したと判断して再送した数値を示す再送カウンタ９による再送回数を入力し、Ｂとする。次に、ステップ３で誤り頻度データ抽出部１２による送信側誤り頻度データを入力し、Ｃとする。次に、ステップ４で再送回数データ抽出部１１による送信側再送回数を入力し、Ｄとする。さらにステップ５でＡ，Ｂ，Ｃ，Ｄのうちの最大値をＸとする。なお、最大値とは最も悪い状態を示すものである
。そして最後に、ステップ６で、Ｘを伝送路条件表示部５に出力して表示させる。
【００４０】
なお、回数などの各数値は元のデータをそのまま使用してもよいが、他からの数値比較において不整合が出ないように、元のデータに係数を掛けるなどの加工を施してもよい。このような１から６のステップにおける動作を連続または断続的に、定期的あるいは非定期に繰り返し行うようにし、最新の情報を表示するようにする。
【００４１】
なお、本実施の形態では、伝送路条件表示部５においては、Ａ，Ｂ，Ｃ，Ｄ４つのうち最悪のものを抽出して表示するようにしたが、これに限定するわけではなく、特定の値だけを表示したり、すべてを表示したり、手動で表示させたいものを切り替えるように表示したり、あるいはすべての平均値を表示するなど、方法は色々考えられる。
あるいは、伝送路条件判定部４または伝送路条件表示部５に過去のデータを記憶させ、手動による表示切替により過去データ表示ができるようにすることも効果的である。なお、このことは本実施の形態限らずすべての実施の形態において共通する事項である。
【００４２】
このようにすることにより、送受信の伝送路をともに対象として、トータル的に伝送路状態を数値化するため、通信装置の最適な設置場所の選定が可能となる。
【００４３】
なお、補足として上記Ａ，Ｂ，Ｃ，Ｄの値は整理すると表１に示すような意味を持つ。すなわち、表１に示すように、Ａ，Ｂ，Ｃ，Ｄの値はそれぞれ、自身の通信装置を受信側または送信側としたときの伝送路、および通信先の通信装置を受信側または送信側としたときの伝送路の通信状態を主として表わしている。
【００４４】
【表１】
2005260532.tif 000003
【００４５】
このように本実施の形態においては、異なる条件の伝送路における通信状態を把握するようにしたものであり、それらすべての伝送路状態の情報をつかみ、それらの情報から最悪条件のものなどを表示するようにしたので、設置地位置における伝送路の状態を正確に表わすことができる。
【産業上の利用可能性】
【００４６】
本発明の電灯線通信装置は、伝送路状態を数値化して表示することができ、機器制御に使用するホームネットワーク等として産業上有用である。
【図面の簡単な説明】
【００４７】
【図１】本発明の実施の形態１における電灯線通信装置のブロック図
【図２】本発明の実施の形態において電灯線通信装置を用いた電灯線通信を用いたシステム全体構成の一例を示す図
【図３】（ａ）受信したデータを復調した信号のデータフォーマットを示す図（ｂ）復調した信号のデータフォーマットを示す図
【図４】本発明の実施の形態２における電灯線通信装置のブロック図
【図５】本発明の実施の形態３における電灯線通信装置のブロック図
【図６】本発明の実施の形態４における電灯線通信装置のブロック図
【図７】本発明の実施の形態５における電灯線通信装置のブロック図
【図８】本発明の実施の形態６における電灯線通信装置のブロック図
【図９】本発明の実施の形態の伝送路条件判定部４において伝送路条件を決定する手順を説明するフローチャート
【図１０】従来の電灯線通信装置のブロック図
【符号の説明】
【００４８】
３  誤り訂正・検出部
４  伝送路条件判定部
５  伝送路条件表示部
９  再送カウンタ
１０  誤り頻度データ抽出部
１１ 再送回数データ抽出部
【図１】
2005260532.tif 000004
【図２】
2005260532.tif 000005
【図３】
2005260532.tif 000006
【図４】
2005260532.tif 000007
【図５】
2005260532.tif 000008
【図６】
2005260532.tif 000009
【図７】
2005260532.tif 000010
【図８】
2005260532.tif 000011
【図９】
2005260532.tif 000012
【図１０】
2005260532.tif 000013